(57)【要約】      （修正有）【課題】ボールねじの構造の強度を効果的に強化することができる電動シリンダーの強化構造を提供する。【解決手段】少なくとも一つの支持台１１と、少なくとも一つのボールねじ１２と、を含む電動シリンダー強化構造において、シャフト昇降器構成１０は、更に、上蓋１３と、ナット１４、内補強チューブ１５と、外補強チューブ１６と、を含み、上蓋１３が支持台１１上に固定され、ナット１４がボールねじ１２に螺着され、内補強チューブ１５の底端がナット１４に固定され、内補強チューブ１５とナット１４とには外補強チューブ１６が嵌め設けられ、外補強チューブ１６の底端が上蓋１３に固定され、内補強チューブ１５とナット１４とが外補強チューブ１６内に昇降可能であることを特徴とする。【選択図】図１
0003146614.tif 000002
【実用新案登録請求の範囲】
【請求項１】
シャフト昇降器構成を含み、前記シャフト昇降器構成は、少なくとも一つの支持台と、少なくとも一つのボールねじと、を含む電動シリンダー強化構造において、
前記シャフト昇降器構成は、更に、上蓋と、ナット、内補強チューブと、外補強チューブと、を含み、前記上蓋が前記支持台上に固定されており、前記ナットが前記ボールねじに螺着されており、前記内補強チューブの底端が前記ナットに固定されており、前記内補強チューブと前記ナットとには前記外補強チューブが嵌め設けられており、前記外補強チューブの底端が前記上蓋に固定されており、前記内補強チューブと前記ナットとが前記外補強チューブ内に昇降可能であることを特徴とする、電動シリンダー強化構造。
【請求項２】
前記ナットは外径がより大きい底部端を有し、前記底部端には環状溝が二つ設けられており、前記二つの環状溝には一つの耐磨耗リングがそれぞれ収容されており、前記二つの耐磨耗リングが前記外補強チューブと前記ナットとの間に設けられており、前記内補強チューブの底端は複数の止めネジを含み、前記内補強チューブは、これらの止めネジを介して前記ナットに固定されており、前記上蓋は、環状部と、台座と、を含み、前記台座は複数の固定ネジを含み、前記台座は、これらの固定ネジを介して前記支持台に固定されており、前記外補強チューブの底端は複数の止めネジを含み、前記外補強チューブは、これらの止めネジを介して前記上蓋の環状部に締結されていることを特徴とする、請求項１に記載の電動シリンダー強化構造。
【請求項３】
前記内補強チューブと前記外補強チューブとは鉄製品であり、前記シャフト昇降器構成は、四点に連動する同期シャフト昇降器構成であり、モータと、四つの支持台と、四つのボールねじと、を含み、前記内補強チューブは、更に、テーブルが固定されている頂端を含むことを特徴とする、請求項１に記載の電動シリンダー強化構造。
【考案の詳細な説明】
【技術分野】
【０００１】
本考案は、電動シリンダーに係り、特に電動シリンダーの強化構造に関するものである。
【背景技術】
【０００２】
図６に示すように、シャフト昇降器２０は、液晶パネル（TFT-LCD）、ソーラーエネルギーパネル、ダイやステンレス精密プレートなどのパネル製造工場に使用され、精密なボールねじ２１を介してシャフト昇降器２０を連動することにより、昇降する際に、パネルの水平度が更に精密に保持され、従来のエアシリンダーによるパネルの水平度低下の問題を解消することができる。しかしながら、精密なボールねじ２１を介してシャフト昇降器２０を連動する構成によれば、構造の強度が不足であるので、長期間使用された後、ボールねじ２１が変形し、又は損壊し易い。なお、上記のような構成に補強構造２２を増設すると、スペースがかなり掛かる。
【考案の開示】
【考案が解決しようとする課題】
【０００３】
本考案の主な目的は、ボールねじの構造の強度を有効に強化することができ、ボールねじが、長期間使用されても、変形や損壊が生じない電動シリンダー強化構造を提供することにある。
【０００４】
本考案の次の目的は、全体の構造が強固で簡単であり、据付スペースがより少しで済む電動シリンダー強化構造を提供することにある。
【課題を解決するための手段】
【０００５】
本考案の請求項１に記載の電動シリンダー強化構造によると、シャフト昇降器構成を含み、前記シャフト昇降器構成は、少なくとも一つの支持台と、少なくとも一つのボールねじと、を含む電動シリンダー強化構造において、前記シャフト昇降器構成は、更に、上蓋と、ナット、内補強チューブと、外補強チューブと、を含み、前記上蓋が前記支持台上に固定されており、前記ナットが前記ボールねじに螺着されており、前記内補強チューブの底端が前記ナットに固定されており、前記内補強チューブと前記ナットとには前記外補強チューブが嵌め設けられており、前記外補強チューブの底端が前記上蓋に固定されており、前記内補強チューブと前記ナットとが前記外補強チューブ内に昇降可能であることを特徴とする電動シリンダー強化構造である。
【０００６】
本考案の請求項２に記載の電動シリンダー強化構造によると、前記ナットは外径がより大きい底部端を有し、前記底部端には環状溝が二つ設けられており、前記二つの環状溝には一つの耐磨耗リングがそれぞれ収容されており、前記二つの耐磨耗リングが前記外補強チューブと前記ナットとの間に設けられており、前記内補強チューブの底端は複数の止めネジを含み、前記内補強チューブは、これらの止めネジを介して前記ナットに固定されており、前記上蓋は、環状部と、台座と、を含み、前記台座は複数の固定ネジを含み、前記台座は、これらの固定ネジを介して前記支持台に固定されており、前記外補強チューブの底端は複数の止めネジを含み、前記外補強チューブは、これらの止めネジを介して前記上蓋の環状部に締結されている。
【０００７】
本考案の請求項３に記載の電動シリンダー強化構造によると、前記内補強チューブと前記外補強チューブとは鉄製品であり、前記シャフト昇降器構成は、四点に連動する同期シャフト昇降器構成であり、モータと、四つの支持台と、四つのボールねじと、を含み、前記内補強チューブは、更に、テーブルが固定されている頂端を含む。
【考案の効果】
【０００８】
本考案の電動シリンダー強化構造によれば、次のような効果がある。
（１）ボールねじの構造の強度を有効に強化することができ、ボールねじは、長期間使用されても、変形や損壊が生じない。
【０００９】
（２）全体の構造が強固で簡単であり、据付スペースがより少しで済む。
【考案を実施するための最良の形態】
【００１０】
以下、本考案の実施の形態を図面に基づいて説明する。
まず、図１乃至図５を参照する。本考案に係る電動シリンダー強化構造は、シャフト昇降器構成１０を含み、前記シャフト昇降器構成１０は、少なくとも一つの支持台１１と、少なくとも一つのボールねじ１２と、を含む。
【００１１】
前記シャフト昇降器構成１０は、更に、上蓋１３と、ナット１４、内補強チューブ１５と、外補強チューブ１６と、を含み、前記上蓋１３が前記支持台１１上に固定されており、前記ナット１４が前記ボールねじ１２に螺着されており、前記内補強チューブ１５の底端が前記ナット１４に固定されており、前記内補強チューブ１５と前記ナット１４とには前記外補強チューブ１６が嵌め設けられており、前記外補強チューブ１６の底端が前記上蓋１３に固定されており、前記内補強チューブ１５と前記ナット１４とが前記外補強チューブ１６内に昇降可能である。
【００１２】
また、前記外補強チューブ１６と前記ナット１４との間には、更に、少なくとも一つの耐磨耗リング１７が設けられている。また、前記ナット１４は外径がより大きい底部端を有し、前記底部端には環状溝が二つ設けられており、前記二つの環状溝には一つの耐磨耗リング１７がそれぞれ収容されている。
【００１３】
また、前記内補強チューブ１５の底端は複数の止めネジを含み、前記内補強チューブ１５は、これらの止めネジを介して前記ナット１４に固定されている。また、前記上蓋１３は、環状部１３１と、台座１３２と、を含み、前記台座１３２は複数の固定ネジを含み、前記台座１３２は、これらの固定ネジを介して前記支持台１１に固定されている。
【００１４】
また、前記外補強チューブ１６の底端は複数の止めネジを含み、前記外補強チューブ１６は、これらの止めネジを介して前記上蓋１３の環状部１３１に締結されている。また、前記内補強チューブ１５と前記外補強チューブ１６とは鉄製品である。
【００１５】
また、前記シャフト昇降器構成１０は、四点に連動する同期シャフト昇降器構成であり、モータ１８と、四つの支持台１１と、四つのボールねじ１２と、を含む。また、前記シャフト昇降器構成１０は、五点に連動する同期シャフト昇降器構成であり、モータ１８と、五つの支持台１１と、五つのボールねじ１２と、を含んでもよい。また、前記内補強チューブ１５は、図５に示すように、更に、テーブル１９が固定されている頂端を含む。
【００１６】
以上のように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１７】
【図１】本考案に係る電動シリンダー強化構造の断面図
【図２】本考案に係る電動シリンダー強化構造の断面図
【図３】本考案に係る電動シリンダー強化構造の四点に連動している状態の模式図
【図４】本考案に係る電動シリンダー強化構造の五点に連動している状態の模式図
【図５】本考案に係る電動シリンダー強化構造にテーブルを結合した状態の模式図
【図６】従来の電動シリンダー強化構造の側面図
【符号の説明】
【００１８】
１０    シャフト昇降器構成
１１    支持台
１２    ボールねじ
１３    上蓋
１４    ナット
１５    内補強チューブ
１６    外補強チューブ
１７    耐磨耗リング
１８    モータ
１９    テーブル
２０    シャフト昇降器
２１    ボールねじ
２２    補強構造
１３１  環状部
１３２  台座
【図１】
0003146614.tif 000003
【図２】
0003146614.tif 000004
【図３】
0003146614.tif 000005
【図４】
0003146614.tif 000006
【図５】
0003146614.tif 000007
【図６】
0003146614.tif 000008